(57)【要約】【課題】分割画面表示モードにおいて、少ない切り換え回数でＣＭ放送以外の他チャンネルの内容を確認可能な表示制御装置及びその制御方法を提供する。【解決手段】本発明の表示制御装置は、表示モードとして、１つの画面に複数の入力信号を表示する分割画面表示モードと、前記複数の入力信号のいずれか１つを前記画面に表示する１画面表示モードとを選択可能な表示制御装置であって、前記複数の入力信号のそれぞれに対し、ＣＭを表す信号であるか否かを判定する判定手段と、ユーザが表示モードを分割画面表示モードに切り換えた際に、前記判定手段においてＣＭを表す信号でないと判定された入力信号のうち、いずれか１つを、音声出力を行う主画面として選択する選択手段と、を備えることを特徴とする。【選択図】図３
2010041372.tif 000002
【特許請求の範囲】
【請求項１】
表示モードとして、１つの画面に複数の入力信号を表示する分割画面表示モードと、前記複数の入力信号のいずれか１つを前記画面に表示する１画面表示モードとを選択可能な表示制御装置であって、
前記複数の入力信号のそれぞれに対し、ＣＭを表す信号であるか否かを判定する判定手段と、
ユーザが表示モードを分割画面表示モードに切り換えた際に、前記判定手段においてＣＭを表す信号でないと判定された入力信号のうち、いずれか１つを、音声出力を行う主画面として選択する選択手段と、
を備えることを特徴とする表示制御装置。
【請求項２】
前記判定手段において、すべての入力信号がＣＭを表す信号であると判定された場合、前記選択手段は、分割画面表示モードへ切り換える前に表示されていた入力信号を主画面として選択する
ことを特徴とする請求項１に記載の表示制御装置。
【請求項３】
前記選択手段は、前記判定手段の判定結果に応じて、前記複数の入力信号から、主画面、ユーザが主画面として選択可能な副画面、ユーザが主画面として選択不可能な選択不可画面とする入力信号を選択する
ことを特徴とする請求項１または２に記載の表示制御装置。
【請求項４】
前記副画面とする入力信号及び前記選択不可画面とする入力信号は前記主画面とする入力信号以外の入力信号であって、
前記副画面とする入力信号は、前記判定手段においてＣＭを表す信号でないと判定された入力信号であり、
前記選択不可画面とする入力信号は、前記判定手段においてＣＭを表す信号であると判定された入力信号である
ことを特徴とする請求項３に記載の表示制御装置。
【請求項５】
前記選択手段は、分割画面表示モードへ切り換える前に表示されていた入力信号が、前記判定手段においてＣＭを表す信号でないと判定された場合、当該入力信号を前記主画面として選択する
ことを特徴とする請求項１〜４のいずれか１項に記載の表示制御装置。
【請求項６】
表示モードとして、１つの画面に複数の入力信号を表示する分割画面表示モードと、前記複数の入力信号のいずれか１つを前記画面に表示する１画面表示モードとを選択可能な表示制御装置の制御方法であって、
前記複数の入力信号のそれぞれに対し、ＣＭを表す信号であるか否かを判定するステップと、
ユーザが表示モードを分割画面表示モードに切り換えた際に、ＣＭを表す信号でないと判定された入力信号のうち、いずれか１つを、音声出力を行う主画面として選択するステップと、
を含むことを特徴とする表示制御装置の制御方法。
【発明の詳細な説明】
【技術分野】
【０００１】
本発明は、表示モードとして、１つの画面に複数の入力信号を表示する分割画面表示モードと、それら複数の入力信号のいずれか１つを画面に表示する１画面表示モードとを選択可能な表示制御装置及びその制御方法に関する。
【背景技術】
【０００２】
従来、表示モードとして、１つの画面に複数の入力信号を表示する分割画面表示モードと、それら複数の入力信号のいずれか１つを画面に表示する１画面表示モードとを選択可能な表示制御装置がある。そのような表示制御装置は、１画面表示モードでは、画面全体に１つの入力信号を表示し、分割画面表示モードでは、画面を複数の分割画面に分割し、分割した各分割画面に入力信号を表示する（複数の入力信号を表示する）。また、そのような表示制御装置において、表示モードを分割画面表示モードに切り換えた場合、当該切り換え直前に表示されていた入力信号が主画面として選択される。
【０００３】
主画面とは、分割画面表示モードにおいて、複数の分割画面のうちの１つの分割画面であって、アクティブ状態で表示されている分割画面である。アクティブ状態とは、音声出力がされている状態や、チャンネル操作などのユーザからの指示を受付可能な状態のことを指す。音声が出力されることにより、ユーザはその分割画面でどのような番組が放送されているかを容易に把握（確認）することができる。分割画面表示モードにおいて、主画面以外の分割画面は副画面と呼ばれ、副画面では映像表示だけが行われる。
【０００４】
このような分割画面表示モードを利用することにより、ユーザは、副画面の中から視聴するチャンネルを選択することが可能になる。例えば、ユーザは、副画面の中から主画面を選択することにより（主画面を切り換えることにより）、視聴するチャンネルを切り換えることができる。以後、このような分割画面表示モードにおいて、ユーザがリモコン等により主画面を頻繁に切り換える操作をザッピング操作と呼ぶ。
【０００５】
ユーザが表示モードを分割画面表示モードに切り換えるという行為は、一般に、他チャンネルの番組を視聴したいが故の行為である。ＣＭ（ｃｏｍｍｅｒｃｉａｌ  ｍｅｓｓａｇｅ）放送中に表示モードを分割画面表示モードに切り換えた場合、特にそのような目的である可能性が高い。しかしながら、分割画面表示モードへの切り換えが他チャンネルの番組を視聴するためのものであったとしても、分割画面表示モードでは当該切り換え直前に表示されていた入力信号が主画面として選択される。そのため、分割画面表示モードにおいて他チャンネルの番組を視聴するためには、ユーザは必ずリモコン等を用いて主画面を切り換えなければならない。また、視聴していたチャンネルでＣＭが放送されるたびに分割画面表示モードで他チャンネルの番組を（音声も含めて）確認する場合、ユーザは表示モードを切り換えるたびに主画面を切り換えなければならない。そのような操作（主画面の切り換え）は、ユーザにとってわずらわしいものである場合が多い。そのため、このような主画面の切り換え回数は少なければ少ないほど望ましい。
【０００６】
また、分割画面表示モードにおいて、分割画面の表示サイズは、画面の分割数（分割画面の数）が多いほど小さくなる。そのため、分割画面表示モードにおいて多くの入力信号（例えばすべてのチャンネル）を表示すると、分割画面の表示サイズは非常に小さくなり、ユーザにとって分割画面に表示されているのがＣＭなのか否か（番組なのか否か）の判断が困難となる。そのため、ユーザにとって所望の番組を探すのが困難となる。
【０００７】
従来技術として、ＣＭの時間を利用して他のチャンネルをサーチする技術が特許文献１
に開示されている。具体的には、特許文献１に開示されているテレビジョン受像機は、視聴しているチャンネルがＣＭ放送か否かを判定する。そして、視聴しているチャンネルがＣＭ放送の間、視聴時に使用されていた第１のチューナとは異なる第２のチューナを使用して、当該チャンネル以外のチャンネルを表示する。
【０００８】
しかしながら、特許文献１に開示されている技術は、１画面表示モードのときに有効なものである。即ち、このような技術を用いたとしても、表示モードを分割画面表示モードに切り換えた場合、当該切り換え直前の表示モードにおいて主画面とされていた入力信号が主画面とされるため、上記問題を解決することはできない。
【０００９】
【特許文献１】特開平１０−５１７０６号公報
【発明の開示】
【発明が解決しようとする課題】
【００１０】
本発明は、上記実情に鑑みてなされたものであって、その目的とするところは、分割画面表示モードにおいて、少ない切り換え回数でＣＭ放送以外の他チャンネルの内容を確認可能な表示制御装置及びその制御方法を提供することにある。
【課題を解決するための手段】
【００１１】
本発明の表示制御装置は、
表示モードとして、１つの画面に複数の入力信号を表示する分割画面表示モードと、前記複数の入力信号のいずれか１つを前記画面に表示する１画面表示モードとを選択可能な表示制御装置であって、
前記複数の入力信号のそれぞれに対し、ＣＭを表す信号であるか否かを判定する判定手段と、
ユーザが表示モードを分割画面表示モードに切り換えた際に、前記判定手段においてＣＭを表す信号でないと判定された入力信号のうち、いずれか１つを、音声出力を行う主画面として選択する選択手段と、
を備えることを特徴とする。
【００１２】
本発明の表示制御装置の制御方法は、
表示モードとして、１つの画面に複数の入力信号を表示する分割画面表示モードと、前記複数の入力信号のいずれか１つを前記画面に表示する１画面表示モードとを選択可能な表示制御装置の制御方法であって、
前記複数の入力信号のそれぞれに対し、ＣＭを表す信号であるか否かを判定するステップと、
ユーザが表示モードを分割画面表示モードに切り換えた際に、ＣＭを表す信号でないと判定された入力信号のうち、いずれか１つを、音声出力を行う主画面として選択するステップと、
を含むことを特徴とする。
【発明の効果】
【００１３】
本発明によれば、分割画面表示モードにおいて、少ない切り換え回数でＣＭ放送以外の他チャンネルの内容を確認することができる。
【発明を実施するための最良の形態】
【００１４】
以下、本発明の実施形態に係る表示制御装置の具体的な実施例について、詳しく説明する。本発明は、表示モードとして、１つの画面（表示パネル）に複数の入力信号を表示する分割画面表示モードと、それら複数の入力信号のいずれか１つを画面に表示する１画面表示モードとを選択可能な表示制御装置に好ましく適用することができる。
【００１５】
＜実施例１＞
図１に実施例１に係る表示制御装置の構成の一例を表すブロック図を示す。図１に示すように、本実施例に係る表示制御装置では、分割画面表示モードにおいて、４つのチューナに入力された入力信号が１つの画面（４つの分割画面）に表示される。なお、チューナの数や分割画面表示モードでの分割画面の数は、これに限らない。
【００１６】
チューナ１，チューナ２，チューナ３，チューナ４でデコードされた入力信号は画像処理部５、出力音声選択制御部７、主画面選択制御部８に出力される。画像処理部５、出力音声選択制御部７、主画面選択制御部８の機能については後述する。本実施例１ではチューナに入力された入力信号が分割画面に表示される場合について説明するが、分割画面に表示する入力信号は、これに限らない。例えば、ＨＤＭＩ端子やＤ端子に入力された入力信号、ＶｏＩＰ放送の入力信号などでも良い。分割画面に表示する入力信号は、映像を表す映像信号と、音声を表す音声信号とを含んでいればよい。
【００１７】
表示モード制御部９は、ユーザの操作（操作情報）に応じて、表示モードを規定する分割画面表示ＯＮ／ＯＦＦ情報を出力する。例えば、ユーザがリモコン等により表示モードの切り換えを指示すると、表示モード制御部９は、当該指示に応じた情報を出力する。具体的には、ユーザによって１画面表示モードが選択された場合、分割画面表示ＯＮ／ＯＦＦ情報として０を出力し、分割画面表示モードが選択された場合、分割画面表示ＯＮ／ＯＦＦ情報として１を出力する。なお、当該分割画面表示ＯＮ／ＯＦＦ情報は一例であり、１画面表示モードや分割画面表示モードへの切り換えが行われたことを表す情報であればどのようなものであってもよい。分割画面表示ＯＮ／ＯＦＦ情報は画像処理部５、主画面選択制御部８、合成部６に出力される。
【００１８】
画像処理部５は、分割画面表示ＯＮ／ＯＦＦ情報に応じて各入力信号の表示サイズを変更する。具体的には、１画面表示モード時には、各入力信号に対して、表示サイズが表示パネル１０の表示解像度と同等の大きさとなるよう拡大又は縮小処理（拡大・縮小処理）を施す。分割画面表示モード時には、分割画面数に応じて、各入力信号の表示サイズが適切な大きさになるように、拡大・縮小処理を行う。例えば、分割画面表示モードにおいて４つの入力信号を表示する場合には、各入力信号の表示サイズが表示パネル１０の表示解像度の１／４以下となるように拡大・縮小処理を行う。当然、拡大・縮小処理は、アスペクト比を一定として行うことが好ましい。拡大・縮小処理された各入力信号は合成部６に出力される。
【００１９】
主画面選択制御部８は、入力信号のそれぞれに対し、ＣＭを表す信号であるか否かを判定する。そして、当該判定結果（どの入力信号がＣＭを表す信号かを表すもの；ＣＭ画面情報）と分割画面表示ＯＮ／ＯＦＦ情報に応じて主画面とする入力信号の選択を行う（主画面とされた入力信号以外の入力信号は、副画面とされる）。当該選択結果（どの入力信号を主画面とするかを表す情報；主画面情報）は合成部６及び出力音声選択制御部７に出力される。なお、副画面では、映像表示のみが行われるものとする。
【００２０】
合成部６は、分割画面表示ＯＮ／ＯＦＦ情報に応じて、出力信号（映像信号）を作成する。具体的には、１画面表示モードの場合、選択されているチャンネルの映像信号を出力し、分割画面表示モードの場合、複数の入力信号の合成映像を作成し出力する。また、分割画面表示モードの場合、主画面情報に基づいて、主画面が明示されるように合成映像が作成される。図２は、分割画面表示モード時に合成部６で作成された合成映像の模式図である。図２において、６１１，６１３，および６１４は副画面であり、６１２は主画面である。主画面６１２は表示枠（分割画面の縁）が副画面より太くなっており、主画面であることが明確に示されている。図２の例では、表示枠の線の太さにより主画面と副画面の
違いを明示したが、主画面と副画面の違いが明示できればどのように区別してもよい。
【００２１】
出力音声選択制御部７は、主画面情報に応じて出力する音声信号を選択する。具体的には、主画面として選択された入力信号の音声信号が、スピーカ１１へ送られる。例えばチューナ１に入力された入力信号が主画面とされた場合、当該入力信号の音声信号がスピーカ１１へ送られる。これにより、分割画面表示モードにおいて、主画面として選択された入力信号による音声が出力されるため、ユーザは主画面として選択された入力信号の内容を容易且つ正確に把握（確認）することができる。
【００２２】
表示パネル１０は合成部から出力された映像信号を表示する。表示パネル１０としては、電子放出素子を有する表示パネル、液晶ディスプレイパネル、プラズマディスプレイパネル、有機ＥＬを用いた表示パネルなど、種々の表示パネルが適用できる。
【００２３】
スピーカ１１は出力音声選択制御部７から出力された音声信号の音声出力を行う。
【００２４】
図３に主画面選択制御部８の内部ブロック図を示す。主画面選択制御部８はＣＭ判定部８１、主画面選択部８２を有する。
【００２５】
ＣＭ判定部８１は、入力信号のそれぞれに対し、ＣＭを表す信号であるか否かを判定する。ＣＭ判定部８１は、例えば、音声の再生方式が切り換わった際に、入力信号がＣＭを表す信号に切り換わったものとすればよい。例えば、モノラルからステレオ、５．１Ｃｈサラウンドからステレオなどに切り換わった場合に、入力信号がＣＭを表す信号に切り換わったものとすればよい。なお、ＣＭ判定部８１による判定は、音声による判定に限らない。ＣＭを表す信号であるかを判断できればどのような方法であってもよい。ＣＭ判定部８１での判定結果（ＣＭ画面情報）は、主画面選択部８２に出力される。
【００２６】
主画面選択部８２は、ＣＭ画面情報、及び、分割画面表示ＯＮ／ＯＦＦ情報に応じて、主画面とする入力信号の選択を行う。具体的には、主画面選択部８２は、表示モードが分割画面表示モードに切り換えられた際に、ＣＭ判定部８１においてＣＭを表す信号でないと判定された入力信号のうち、いずれか１つを、音声出力を行う主画面として選択する。図４を用いて、主画面選択部８２による処理の流れについて説明する。図４は、主画面選択部８２による処理の流れの一例を示すフローチャートである。なお、チューナ１に入力された信号を入力信号１、チューナ２に入力された信号を入力信号２、チューナ３に入力された信号を入力信号３、チューナ４に入力された信号を入力信号４とする。
【００２７】
まず、表示モードが分割画面表示モードに切り換えられた際に、入力信号１がＣＭを表す信号か否かを判定する（ステップＳ１０１）。当該判定は、ＣＭ画面情報を確認することにより行われる。そして、入力信号１がＣＭを表す信号である場合（ステップＳ１０１：ＹＥＳ）、ステップＳ１０２へ進む。入力信号１がＣＭを表す信号でない場合（ステップＳ１０１：ＮＯ）、主画面とする入力信号として入力信号１を選択する（ステップＳ１０３）。
【００２８】
ステップＳ１０２では、入力信号２がＣＭを表す信号か否かを判定する。そして、入力信号２がＣＭを表す信号である場合（ステップＳ１０２：ＹＥＳ）、ステップＳ１０４へ進む。入力信号２がＣＭを表す信号でない場合（ステップＳ１０２：ＮＯ）、主画面とする入力信号として入力信号２を選択する（ステップＳ１０５）。
【００２９】
ステップＳ１０４では、入力信号３がＣＭを表す信号か否かを判定する。そして、入力信号３がＣＭを表す信号である場合（ステップＳ１０４：ＹＥＳ）、ステップＳ１０６へ進む。入力信号３がＣＭを表す信号でない場合（ステップＳ１０４：ＮＯ）、主画面とす
る入力信号として入力信号３を選択する（ステップＳ１０７）。
【００３０】
ステップＳ１０６では、入力信号４がＣＭを表す信号か否かを判定する。そして、入力信号４がＣＭを表す信号である場合（ステップＳ１０６：ＹＥＳ）、ステップＳ１０９へ進む。入力信号４がＣＭを表す信号でない場合（ステップＳ１０６：ＮＯ）、主画面とする入力信号として入力信号４を選択する（ステップＳ１０８）。
【００３１】
ステップＳ１０９は、すべての入力信号がＣＭを表す信号であると判定されている場合に行われる処理である。図４の例では、ステップＳ１０９で、主画面とする入力信号として入力信号１が選択される。なお、ステップＳ１０９では、分割画面表示モードへの切り換え前に主画面として選択されていた入力信号（例えば、１画面表示モードで視聴していたチャンネルに対応する入力信号）を主画面とすることが好ましい。それにより、全ての入力信号がＣＭを表す信号である場合に、従来と同様の動作がなされるため、ユーザは違和感無く続けて操作することができる。
【００３２】
なお、図４のフローチャートでは、入力信号１〜４について、順に主画面とするか否かを判定しているが、判定の順番はどのような順番でもよい。ランダムでもよい。また、分割画面表示モードへの切り換え前に主画面として選択されていた入力信号について最初に判定することが好ましい。それにより、分割画面表示モードへの切り換え前に主画面として選択されていた入力信号がＣＭを表す信号でない場合に、従来と同様の動作がなされるため、ユーザは違和感無く続けて操作することができる。
【００３３】
主画面が選択された後、ユーザは、リモコン等により主画面を切り換えることができる。リモコン等による主画面の切り換えについて図５のフローチャートを用いて説明する。なお、図５は、ユーザがリモコンの（上下左右に対応する）カーソルボタンを押すことによって主画面を切り換える場合の例であるが、主画面の切り換えは、どのように行われてもよい。
【００３４】
カーソルボタンにより“右”が指示された場合（ステップＳ１２１：ＹＥＳ）、主画面を副画面とし、その右隣の副画面を主画面とする（ステップＳ１２２）。カーソルボタンにより“左”が指示された場合（ステップＳ１２３：ＹＥＳ）、主画面を副画面とし、その左隣の副画面を主画面とする（ステップＳ１２４）。カーソルボタンにより“上”が指示された場合（ステップＳ１２５：ＹＥＳ）、主画面を副画面とし、その直上に位置する副画面を主画面とする（ステップＳ１２６）。カーソルボタンにより“下”が指示された場合（ステップＳ１２７：ＹＥＳ）、主画面を副画面とし、その直下に位置する副画面を主画面とする（ステップＳ１２８）。
【００３５】
図６を用いて従来の表示制御装置と本実施例に係る表示制御装置の違いについて説明する。図６は、１画面表示モードでチャンネル３を表示しており、分割画面表示モードに切り換えることにより分割画面１〜４を表示した場合の例である。分割画面１にはチャンネル３、分割画面２にはチャンネル５、分割画面３にはチャンネル７、分割画面４にはチャンネル９が表示されており、チャンネル３，７はＣＭ表示中であり、チャンネル５，９は番組表示中とする。
【００３６】
従来の表示制御装置では、表示モードを分割画面表示モードに切り換えた場合に、１画面表示時に視聴していた入力信号（チャンネル３）がＣＭ表示中であるか否かに関わらず、当該入力信号（分割画面１）が主画面とされる。チャンネル３がＣＭ表示中の場合、当該表示モードの切り換えは、他チャンネルの番組を視聴したいが故の行為である可能性が高い。ユーザが番組表示中のチャンネルを視聴するためには、チャンネル５またはチャンネル９（分割画面２または分割画面４）を主画面としなければならない。即ち、ユーザは
主画面を切り換えなければならない。
【００３７】
一方、本実施例に係る表示制御装置では、表示モードを分割画面表示モードに切り換えた場合に、入力信号毎にＣＭ表示中かどうかの判定を行い、番組表示中の入力信号が主画面となるように制御される。従って、本実施例に係る表示制御装置では、表示モードを分割画面表示モードに切り換えた場合に、チャンネル５またはチャンネル９（分割画面２または分割画面４）が主画面とされる。それにより、従来の表示制御装置で必要とされた主画面の切り換えを省略することができる。
【００３８】
図６の例では、本実施例に係る表示制御装置を用いることによって、従来の表示制御装置に対し１回分（最大２回分）の（主画面の）切り換えしか省略することができないが、省略できる（主画面の）切り換え回数は、分割画面数が多くなるにつれて顕著になる。
【００３９】
例えば、分割画面表示モードにおいて５行５列（５×５）の分割画面が表示される場合、省略できる切り換え回数は、最大で８回となる。具体的には、従来の表示制御装置において、５×５の分割画面のうち、左上隅の分割画面が主画面とされ、右下隅の分割画面のみが番組表示中であった場合、当該番組表示中の分割画面を主画面とするためには８回の切り換えが必要となる。また、分割画面表示モードにおいて１０行１０列（１０×１０）の分割画面が表示される場合、省略できる切り換え回数は、最大で１８回となる。分割画面表示モードにおいてＮ×Ｍの分割画面が表示される場合、省略できる切り換え回数は、最大で（Ｎ＋Ｍ−２）回となる。
【００４０】
＜実施例２＞
実施例１では、主画面の切り換えについて、とりわけ制限を設けていなかった。即ち、実施例１では、どのような入力信号についても主画面に切り換えることが可能であった。本実施例２では、主画面の切り換えについて、制限を設ける。
【００４１】
具体的には、分割画面表示モードにおいて多くの入力信号を表示すると、分割画面の表示サイズが非常に小さくなるため、（ユーザにとって）分割画面に表示されているのがＣＭなのか否か（番組なのか否か）の判断が困難となる。その結果、他チャンネルの番組を探すために主画面を切り換える際に、ＣＭ表示中の入力信号を主画面として選んでしまうことがある。そのような主画面の切り換えは、ユーザの目的と異なるため、ユーザにとってわずらわしいものとなる。また、分割画面表示モードにおいて、主画面から番組表示中の副画面までの間に、ＣＭ表示中の副画面が多数ある場合には、切り換え回数が多くなってしまう。そこで、本実施例では、そのような操作のわずらわしさを解消するために、番組表示中の副画面に対してのみ切り換えを可能とする。以下に、詳しく説明する。
【００４２】
図７に本実施例に係る表示制御装置の構成の一例を表すブロック図を示す。本実施例に係る表示制御装置は、実施例１に係る表示制御装置（図１）と、主画面選択制御部８及び合成部６の機能が異なる（実施例１と区別するため、本実施例では１２を主画面選択制御部、１３を合成部とする）。以下、実施例１と異なる箇所についてのみ説明する。
【００４３】
主画面選択制御部１２は、入力信号のそれぞれに対し、ＣＭを表す信号であるか否かを判定する。そして、当該判定結果（ＣＭ画面情報）と分割画面表示ＯＮ／ＯＦＦ情報に応じて、複数の入力信号から、主画面、副画面、及び、選択不可画面とする入力信号を選択する。当該選択結果（どの入力信号を主画面、副画面、選択不可画面とするかを表す情報；主画面副画面情報）は合成部１３及び出力音声選択制御部７に出力される。本実施例では、主画面以外の入力信号のうちＣＭを表す信号でないと判定された入力信号を副画面、ＣＭを表す信号であると判定された入力信号を選択不可画面とする。副画面及び選択不可画面では共に映像表示のみが行われる。また、本実施例において、ユーザは、副画面に対
してのみ主画面として選択することができ、選択不可画面に対しては主画面として選択できない（主画面として選択不可能）ものとする。
【００４４】
合成部１３は、分割画面表示ＯＮ／ＯＦＦ情報に応じて、出力信号（映像信号）を作成する。具体的には、１画面表示モードの場合、選択されているチャンネルの映像信号を出力し、分割画面表示モードの場合、複数の入力信号の合成映像を作成し出力する。また、本実施例では、分割画面表示モードの場合、主画面副画面情報に基づいて、主画面、副画面、選択不可画面がそれぞれ明示されるように合成映像が作成される。図８は、分割画面表示モード時に合成部１３で作成された合成映像の模式図である。図８において、９１１，９１３は選択不可画面、９１４は副画面、９１２は主画面である。選択不可画面は表示枠（分割画面の縁）が細く、主画面は表示枠が太く、副画面は、表示枠が太く且つ点線となっており、主画面、副画面、選択不可画面がそれぞれ明確に区別されている。このように区別することにより、分割画面数が多い場合でも、ユーザは各分割画面の種類（主画面、副画面、選択不可画面）を判断することができる。なお、図８の例では、表示枠の線種によって主画面、副画面、選択不可画面をそれぞれ明示したが、主画面、副画面、選択不可画面の違いが明示できればどのように区別してもよい。
【００４５】
図９に主画面選択制御部１２の内部ブロック図を示す。主画面選択制御部１２はＣＭ判定部１２１、主画面選択部１２２を有する。
【００４６】
主画面選択部１２２は、ＣＭ画面情報、及び、分割画面表示ＯＮ／ＯＦＦ情報に応じて、複数の入力信号から、主画面、副画面、選択不可画面の選択を行う。図１０を用いて、主画面選択部１２２による処理の流れについて説明する。図１０は、主画面選択部１２２による処理の流れの一例を示すフローチャートである。なお、チューナ１に入力された信号を入力信号１、チューナ２に入力された信号を入力信号２、チューナ３に入力された信号を入力信号３、チューナ４に入力された信号を入力信号４とする。
【００４７】
まず、表示モードが分割画面表示モードに切り換えられた際に、入力信号１がＣＭを表す信号か否かを判定する（ステップＳ２０１）。そして、入力信号１がＣＭを表す信号である場合（ステップＳ２０１：ＹＥＳ）、入力信号１を選択不可画面とし（ステップＳ２０２）、ステップＳ２０４へ進む。入力信号１がＣＭを表す信号でない場合（ステップＳ２０１：ＮＯ）、入力信号１を主画面とし（ステップＳ２０３）、ステップＳ２０４へ進む。
【００４８】
ステップＳ２０４では、入力信号２がＣＭを表す信号か否かを判定する。そして、入力信号２がＣＭを表す信号である場合（ステップＳ２０４：ＹＥＳ）、入力信号２を選択不可画面とし（ステップＳ２０６）、ステップＳ２０９へ進む。入力信号２がＣＭを表す信号でない場合（ステップＳ２０４：ＮＯ）、主画面としての入力信号が既に選択されているか否か判定する（ステップＳ２０５）。主画面としての入力信号が既に選択されている場合（ステップＳ２０５：ＹＥＳ）、入力信号２を副画面とし（ステップＳ２０８）、ステップＳ２０９へ進む。主画面としての入力信号が選択されていない場合（ステップＳ２０５：ＮＯ）、入力信号２を主画面とし（ステップＳ２０７）、ステップＳ２０９へ進む。
【００４９】
ステップＳ２０９では、入力信号３がＣＭを表す信号か否かを判定する。そして、入力信号３がＣＭを表す信号である場合（ステップＳ２０９：ＹＥＳ）、入力信号３を選択不可画面とし（ステップＳ２１１）、ステップＳ２１４へ進む。入力信号３がＣＭを表す信号でない場合（ステップＳ２０９：ＮＯ）、主画面としての入力信号が既に選択されているか否か判定する（ステップＳ２１０）。主画面としての入力信号が既に選択されている場合（ステップＳ２１０：ＹＥＳ）、入力信号３を副画面とし（ステップＳ２１３）、ス
テップＳ２１４へ進む。主画面としての入力信号が選択されていない場合（ステップＳ２１０：ＮＯ）、入力信号２を主画面とし（ステップＳ２１２）、ステップＳ２１４へ進む。
【００５０】
ステップＳ２１４では、入力信号４がＣＭを表す信号か否かを判定する。そして、入力信号４がＣＭを表す信号である場合（ステップＳ２１４：ＹＥＳ）、入力信号４を選択不可画面とし（ステップＳ２１６）、ステップＳ２１９へ進む。入力信号４がＣＭを表す信号でない場合（ステップＳ２１４：ＮＯ）、主画面としての入力信号が既に選択されているか否か判定する（ステップＳ２１５）。主画面としての入力信号が既に選択されている場合（ステップＳ２１５：ＹＥＳ）、入力信号４を副画面とし（ステップＳ２１８）、ステップＳ２１９へ進む。主画面としての入力信号が選択されていない場合（ステップＳ２１５：ＮＯ）、入力信号４を主画面とし（ステップＳ２１７）、ステップＳ２１９へ進む。
【００５１】
ステップＳ２１９では、主画面としての入力信号が選択されているか否かを判定する。主画面としての入力信号が選択されていない場合（ステップＳ２１９）には、入力信号１を主画面とする（ステップＳ２２０）。これにより、全ての入力信号がＣＭを表す信号である場合に、主画面が選択されなくなることが回避される。なお、ステップＳ２２０では、分割画面表示モードへの切り換え前に主画面として選択されていた入力信号（例えば、１画面表示モードで視聴していたチャンネルに対応する入力信号）を主画面とすることが好ましい。それにより、全ての入力信号がＣＭを表す信号である場合に、従来と同様の動作がなされるため、ユーザは違和感無く続けて操作することができる。
【００５２】
なお、実施例１と同様に、主画面とするか否か判定の順番は、どのような順番でもよい。ランダムでもよい。
【００５３】
主画面が選択された後、ユーザは、リモコン等により主画面を切り換えることができる。リモコン等による主画面の切り換えについて図１１のフローチャートを用いて説明する。なお、図１１は、ユーザがリモコンの（上下左右に対応する）カーソルボタンを押すことによって主画面を切り換える場合の例であるが、主画面の切り換えは、どのように行われてもよい。
【００５４】
カーソルボタンにより“右”が指示された場合（ステップＳ３１１）、主画面の右方向に副画面があるか否かを判定する（ステップＳ３１２）。主画面の右方向に副画面がある場合（ステップＳ３１２：ＹＥＳ）、主画面を副画面（ＣＭ表示中の場合、選択不可画面）とし、主画面の右方向にある副画面のうちいずれか１つを主画面とする（ステップＳ３１３）。例えば、主画面の右方向にある副画面のうち、主画面に最も近い副画面を主画面とする。主画面の右方向に副画面が無い場合（ステップＳ３１２：ＮＯ）、主画面の切り換えは行われない。
【００５５】
カーソルボタンにより“左”が指示された場合（ステップＳ３１４）、主画面の左方向に副画面があるか否かを判定する（ステップＳ３１５）。主画面の左方向に副画面がある場合（ステップＳ３１５：ＹＥＳ）、主画面を副画面（ＣＭ表示中の場合、選択不可画面）とし、主画面の左方向にある副画面のうちいずれか１つを主画面とする（ステップＳ３１６）。例えば、主画面の左方向にある副画面のうち、主画面に最も近い副画面を主画面とする。主画面の左方向に副画面が無い場合（ステップＳ３１５：ＮＯ）、主画面の切り換えは行わない。
【００５６】
カーソルボタンにより“上”が指示された場合（ステップＳ３１７）、主画面の上方向に副画面があるか否かを判定する（ステップＳ３１８）。主画面の上方向に副画面がある
場合（ステップＳ３１８：ＹＥＳ）、主画面を副画面（ＣＭ表示中の場合、選択不可画面）とし、主画面の上方向にある副画面のうちいずれか１つを主画面とする（ステップＳ３１９）。例えば、主画面の上方向にある副画面のうち、主画面に最も近い副画面を主画面とする。主画面の上方向に副画面が無い場合（ステップＳ３１８：ＮＯ）、主画面の切り換えは行わない。
【００５７】
カーソルボタンにより“下”が指示された場合（ステップＳ３２０）、主画面の下方向に副画面があるか否かを判定する（ステップＳ３２１）。主画面の下方向に副画面がある場合（ステップＳ３２１：ＹＥＳ）、主画面を副画面（ＣＭ表示中の場合、選択不可画面）とし、主画面の下方向にある副画面のうちいずれか１つを主画面とする（ステップＳ３２２）。例えば、主画面の下方向にある副画面のうち、主画面に最も近い副画面を主画面とする。主画面の下方向に副画面が無い場合（ステップＳ３２１：ＮＯ）、主画面の切り換えは行わない。
【００５８】
なお、全ての入力信号（または、主画面以外の入力信号）がＣＭを表す信号である場合には、図５のフローチャートに従うものとする。即ち、全ての入力信号（または、主画面以外の入力信号）がＣＭを表す信号である場合には、選択不可画面を主画面として選択可能とする。これにより、主画面の切り換えができなくなる場合を回避することができる。
【００５９】
このように、実施例２では、番組表示中の入力信号間（分割画面間）でのみ主画面の切り換えを可能とすることにより、分割画面数が多い場合でも、主画面を適確に切り換えることができる。また、ＣＭ表示中の入力信号への切り換えが省略されるため、ユーザは少ない切り換え回数でＣＭ放送以外の他チャンネルの内容を確認することができるようになる。
【００６０】
以上述べたように、本実施形態に係る表示制御装置によれば、分割画面表示モードへの切り換え時に、ＣＭ表示中以外の入力信号のいずれか１つが主画面として選択される。そのため、従来の表示制御装置と比べ、少ない切り換え回数でＣＭ放送以外の他チャンネルの内容を確認することができる。
【図面の簡単な説明】
【００６１】
【図１】図１は、実施例１に係る表示制御装置の構成の一例を表すブロック図である。
【図２】図２は、実施例１に係る表示制御装置の分割画面表示モード時に合成部で作成された合成映像の模式図である。
【図３】図３は、実施例１に係る主画面選択制御部の内部構成を示すブロック図である。
【図４】図４は、実施例１に係る主画面選択部による処理の流れの一例を示すフローチャートである。
【図５】図５は、実施例１に係る表示制御装置の分割画面表示モード時におけるリモコン操作による主画面の切り換えについて説明するためのフローチャートである。
【図６】図６は、従来の表示制御装置と実施例１に係る表示制御装置の違いを表す図である。
【図７】図７は、実施例２に係る表示制御装置の構成の一例を表すブロック図である。
【図８】図８は、実施例２に係る表示制御装置の分割画面表示モード時に合成部で作成された合成映像の模式図である。
【図９】図９は、実施例２に係る主画面選択制御部の内部構成を示すブロック図である。
【図１０】図１０は、実施例２に係る主画面選択部による処理の流れの一例を示すフローチャートである。
【図１１】図１１は、実施例２に係る表示制御装置の分割画面表示モード時におけるリモコン操作による主画面の切り換えについて説明するためのフローチャートである。
【符号の説明】
【００６２】
８，１２  主画面選択制御部
８１，１２１  判定部
８２，１２２  主画面選択部
【図１】
2010041372.tif 000003
【図２】
2010041372.tif 000004
【図３】
2010041372.tif 000005
【図４】
2010041372.tif 000006
【図５】
2010041372.tif 000007
【図６】
2010041372.tif 000008
【図７】
2010041372.tif 000009
【図８】
2010041372.tif 000010
【図９】
2010041372.tif 000011
【図１０】
2010041372.tif 000012
【図１１】
2010041372.tif 000013